【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
可とう性フィルム；および
第１のパターンで可とう性フィルムの第１の部分に配置された第１の接着剤、および、第２のパターンで可とう性フィルムの第２の部分に配置された第２の接着剤を備え、
第２のパターンは第１のパターンとともに登録され、第１の部分および第２の部分が可とう性フィルムの実質的に異なる部分を覆うことを特徴とする医療用ドレープ。
【請求項２】
第２の接着剤が第１の接着剤の粘着性より低い粘着性を有する請求項１に記載の医療用ドレープ。
【請求項３】
第２の接着剤が第１の接着剤の厚さより大きい厚さを有する請求項１または２に記載の医療用ドレープ。
【請求項４】
第１の接着剤が約３０ミクロンと約６５ミクロンとの間の厚さを有し、第２の接着剤が約１００ミクロンと約４００ミクロンとの間の厚さを有する請求項１〜３のいずれか１項に記載の医療用ドレープ。
【請求項５】
第１の部分および第２の部分が可とう性フィルムの側面より小さい部分を被覆する請求項１〜４のいずれか１項に記載の医療用ドレープ。
【請求項６】
第１の部分が複数のセルを備え、
第２の部分が、第１のパターンのセル間の可とう性フィルムを実質的に被覆する、
請求項１〜５のいずれか１項に記載の医療用ドレープ。
【請求項７】
セルが可とう性フィルム上で等間隔に分離されている請求項６に記載の医療用ドレープ。
【請求項８】
第２のパターンが、可とう性フィルムの端部に平行に伝播する、第２の接着剤の１つ以上の周期的に波形形状のストリップを備える請求項１〜７のいずれか１項に記載の医療用ドレープ。
【請求項９】
第１のパターンが、可とう性フィルムの端部に平行に伝播する、周期的な波形形状を有する接着剤のストリップを備える請求項１、２、３、４、５または８に記載の医療用ドレープ。
【請求項１０】
接着剤のストリップが、可とう性フィルムの幅と実質的に同様のピークツーピーク振幅を有する請求項９に記載の医療用ドレープ。
【請求項１１】
第１のパターンが：
可とう性フィルムの端部に近接する第１の接着剤の第１の列であって、第１の列が複数のセルを有し、各セルが第１の列の隣接するセルから分離されている第１の列と；
可とう性フィルムの端部から分離した第１の接着剤の第２の列であって、第２の列が第１の列のセルからオフセットして設けられた複数のセルを有し、各セルが第２の列の隣接するセルから分離されている第２の列と；
を備える請求項１、２、３、４、５または８に記載の医療用ドレープ。
【請求項１２】
第２のパターンが第２の接着剤の１つ以上の周期的な波形形状のストリップを備え、周期的な波形形状のストリップがそれぞれ第１および第２の列のセルの中間部分と対応する最大および最小振幅を有し、周期的な波形形状のストリップが、可とう性フィルムの端部に平行に伝播する、第１および第２の列のセルを包含する請求項１１に記載の医療用ドレープ。
【請求項１３】
可とう性フィルムがポリウレタンフィルムを備える請求項１〜１２のいずれか１項に記載の医療用ドレープ。
【請求項１４】
可とう性フィルムが、約３００ｇ／ｍ２／２４時間と約１４，４００ｇ／ｍ２／２４時間との間の水蒸気転送速度を有する請求項１〜１３のいずれか１項に記載の医療用ドレープ。
【請求項１５】
可とう性フィルムが、約１０００ｇ／ｍ２／２４時間の水蒸気転送速度を有する請求項１４に記載の医療用ドレープ。
【請求項１６】
第１の接着剤がアクリル系接着剤であり、第２の接着剤がシリコーン系接着剤である請求項１〜１５のいずれか１項に記載の医療用ドレープ。
【請求項１７】
減圧で組織部位を処置するためのシステムであって、システムが：
組織部位近傍の減圧を分配するためのマニホールドと；
マニホールドに流体的に結合した減圧ソースと；
ドレープと；
ドレープと結合した第１の接着剤および第２の接着剤であって、第２の接着剤が第１の接着剤とともに登録され、第１の接着剤と第２の接着剤がドレープの実質的に異なる部分を被覆する第１の接着剤および第２の接着剤と；
を備えることを特徴とするシステム。
【請求項１８】
マニホールドを含むシールされたスペースを形成するために、第１の接着剤は組織部位近傍のドレープを接合するよう構成され、第２の接着剤は組織部位近傍のドレープをシールするよう構成される請求項１７に記載のシステム。
【請求項１９】
第２の接着剤が、第１の接着剤の厚さより大きい厚さを有する請求項１７または１８に記載のシステム。
【請求項２０】
第２の接着剤が、第１の接着剤の粘着性よりも小さい粘着性を有する請求項１７〜１９のいずれか１項に記載のシステム。
【請求項２１】
ドレープが可とう性フィルムを備え、第１の接着剤および第２の接着剤が、可とう性フィルムの側面を実質的に被覆する請求項１７〜２０のいずれか１項に記載のシステム。
【請求項２２】
第１の接着剤および第２の接着剤が、ドレープの側面より小さい部分を被覆する請求項１７〜２１のいずれか１項に記載のシステム。
【請求項２３】
第１の接着剤が約３０ミクロンと約６５ミクロンとの間の厚さを有し、第２の接着剤が約１００ミクロンと約４００ミクロンとの間の厚さを有する請求項１７〜２２のいずれか１項に記載のシステム。
【請求項２４】
第１の接着剤が複数のセルを備え、第２の接着剤が複数のセルの間のドレープを実質的に被覆する請求項１７〜２３のいずれか１項に記載のシステム。
【請求項２５】
第１の接着剤のセルが第１の接着剤の隣接するセルから等間隔で分離される請求項２４に記載のシステム。
【請求項２６】
第２の接着剤が、ドレープの端部に平行に伝播する、第２の接着剤の１つ以上の周期的な波形形状のストリップを備える請求項１７〜２５のいずれか１項に記載のシステム。
【請求項２７】
第１の接着剤が、ドレープの端部に平行に伝播する、周期的な波形形状を有する接着剤のストリップを備える請求項１７〜２３のいずれか１項または２６に記載のシステム。
【請求項２８】
接着剤のストリップが、ドレープの幅と実質的に同等のピークツーピーク振幅を有する請求項２７に記載のシステム。
【請求項２９】
第１の接着剤が：
ドレープの外側の端部に近接するセルの第１の列であって、第１の列が複数のセルを有し、各セルが第１の列の隣接するセルから分離されている第１の列と；
ドレープの端部から分離されたセルの第２の列であって、第２の列が第１の列のセルからオフセットして設けられた複数のセルを有し、各セルが第２の列の隣接するセルから分離されている第２の列と；
を備えている請求項１７〜２３のいずれか１項または２６に記載のシステム。
【請求項３０】
第２の接着剤が１つ以上の周期的な波形形状のストリップを備え、周期的な波形形状のストリップがそれぞれ第１および第２の列のセルの中間部分と対応する最大および最小振幅を有し、周期的な波形形状のストリップが第１および第２の列のセルを包含する請求項２９に記載のシステム。
【請求項３１】
第１の接着剤がアクリル系接着剤であり、第２の接着剤がシリコン系接着剤である請求項１７〜３０のいずれか１項に記載のシステム。
【請求項３２】
可とう性フィルムがポリウレタンフィルムを備える請求項１７〜３１のいずれか１項に記載のシステム。
【請求項３３】
可とう性フィルムが、約３００ｇ／ｍ２／２４時間と約１４，４００ｇ／ｍ２／２４時間との間の水蒸気転送速度を有する請求項１７〜３２のいずれか１項に記載のシステム。
【請求項３４】
可とう性フィルムが、約１０００ｇ／ｍ２／２４時間の水蒸気転送速度を有する請求項３３に記載のシステム。
【請求項３５】
第１の接着剤がアクリル系接着剤であり、第２の接着剤がシリコン系接着剤である請求項１７〜３４のいずれか１項に記載のシステム。
【請求項３６】
医療用ドレープを製造する方法であって、方法が：
可とう性フィルムを提供する工程と；
第１のパターンで可とう性フィルムの側面上に第１の接着剤を配置する工程と；
第２のパターンで可とう性フィルムの側面上に第２の接着剤を配置する工程と；
を備え、第１の接着剤および第２の接着剤が可とう性フィルムの実質的に異なる部分を被覆し、第２の接着剤が第１の接着剤の粘着性より小さい粘着性を有することを特徴とする医療用ドレープを製造する方法。
【請求項３７】
第１の接着剤および第２の接着剤を配置する工程が、第１の接着剤および第２の接着剤で可とう性フィルムの側面を実質的に被覆する工程を備える請求項３６に記載の方法。
【請求項３８】
第１の接着剤および第２の接着剤を配置する工程が、可とう性フィルムの側面の部分を被覆する工程を備える請求項３６または３７に記載の方法。
【請求項３９】
第１のパターンで可とう性フィルムの側面上に第１の接着剤を配置する工程が：
回転部材を通って可とう性フィルムを移動する工程であって、可とう性フィルムが回転部材に対し直線的に移動している間、可とう性フィルムが回転部材の外部の部分と接触する工程と；
第１の接着剤を回転部材の内部に供給する工程と；
第１の接着剤を回転部材の開口を介して可とう性フィルム上に押し付ける工程であって、開口が第１のパターンで回転部材の外側表面に形成されている工程と；
を備える請求項３６、３７または３８に記載の方法。
【請求項４０】
第２のパターンで可とう性フィルムの側面上に第２の接着剤を配置する工程が：
回転部材を通って可とう性フィルムを移動する工程であって、可とう性フィルムが回転部材に対し直線的に移動している間、可とう性フィルムが回転部材の外部の部分と接触する工程と；
第２の接着剤を回転部材の内部に供給する工程と；
第２の接着剤を回転部材の開口を介して可とう性フィルム上に押し付ける工程であって、開口が第２のパターンで回転部材の外側表面に形成されている工程と；
を備える請求項３６、３７、３８または３９に記載の方法。
【請求項４１】
第１のパターンで可とう性フィルムの側面上に第１の接着剤を配置する工程が：
第１の接着剤を受け取るよう構成されるとともに第１の接着剤を可とう性フィルム上に押出する操作が可能な１つ以上の押出機を提供する工程と；
押出機に対し可とう性フィルムを移動させる工程と；
可とう性フィルムが押出機を通って直線的に移動している間、第１の接着剤を可とう性フィルム上に押し出すように押出機を作動させる工程と；
を備える請求項３６、３７または３８に記載の方法。
【請求項４２】
第２のパターンで可とう性フィルムの側面上に第２の接着剤を配置する工程が：
第２の接着剤を受け取るよう構成されるとともに第２の接着剤を可とう性フィルム上に押し出すよう構成された１つ以上の押出機を提供する工程と；
押出機に対し第１の方向に可とう性フィルムを移動させる工程と；
可とう性フィルムの移動に対し垂直な第２の方向に押出機を直線的に移動させる工程であって、その移動が可とう性フィルムの第１の端部と可とう性フィルムの第２の端部との間で周期的である工程と：
可とう性フィルムが押出機を通って移動している間、第２の接着剤を押出機により可とう性フィルムの第１の端部上に押し出すように押出機を作動させる工程と；
を備える請求項３６、３７、３８、３９または４１に記載の方法。
【請求項４３】
第１のパターンで可とう性フィルムの側面上に第１の接着剤を配置する工程が：
第１の接着剤を受け取るよう構成されるとともに第１の接着剤を可とう性フィルム上に押し出すよう構成された１つ以上の押出機を提供する工程と；
押出機に対し可とう性フィルムを直線的に移動させる工程と；
可とう性フィルムが押出機を通って直線的に移動している間、第１の接着剤を押出機により可とう性フィルム上に押し出すように押出機を作動させる工程と；
可とう性フィルムの移動に対し垂直で直線的に押出機を移動させる工程であって、その移動が可とう性フィルムの第１の端部と可とう性フィルムの第２の端部との間で周期的である工程と：
可とう性フィルムを押出機に垂直に移動させる工程であって、第１のパターンがそれに応じた周期的な波形形状のストリップである工程と；
を備える請求項３６、３７、３８、４０または４２に記載の方法。
【請求項４４】
第１のパターンで可とう性フィルムの側面上に第１の接着剤を配置する工程が：
移送シリンダーの外部上に彫刻された第１のパターンを有する移送シリンダーを提供する工程と；
移送シリンダーを第１の接着剤で被覆する工程と；
第１の接着剤を可とう性フィルム上に堆積させるために、可とう性フィルムが移送シリンダーを通って直線的に移動する間、移送シリンダーを可とう性フィルム上にプレスする工程と；
可とう性フィルム上の第１の接着剤を加硫する工程と；
を備える請求項３６、３７、３８、４０または４２に記載の方法。
【請求項４５】
第２のパターンで可とう性フィルムの側面上に第２の接着剤を配置する工程が：
移送シリンダーの外部上に彫刻された第２のパターンを有する移送シリンダーを提供する工程と；
移送シリンダーを第２の接着剤で被覆する工程と；
第２の接着剤を可とう性フィルム上に堆積させるために、可とう性フィルムが移送シリンダーを通って直線的に移動する間、移送シリンダーを可とう性フィルム上にプレスする工程と；
可とう性フィルム上の第２の接着剤を加硫する工程と；
を備える請求項３６、３７、３８、３９、４１、４３または４４に記載の方法。
【請求項４６】
減圧で組織部位を処置するための方法であって、方法が：
組織部位近傍の減圧を分配するためのマニホールドを配置する工程と；
マニホールドに減圧ソースを流体的に結合する工程と；
組織部位の上に医療用ドレープを配置する工程であって、医療用ドレープが医療用ドレープと結合した第１の接着剤および第２の接着剤を有し、第２の接着剤が第１の接着剤とともに登録され、第１および第２の接着剤が医療用ドレープの実質的に異なる部分を被覆する工程と；
ドレープと組織部位との間のシール用結合を形成するために、組織部位に第２の接着剤を貼り付ける工程と；
ドレープを位置決めする工程と；
ドレープと組織部位との間の接合用接結合を形成するために、第１の接着剤に力を加える工程と；
を備えることを特徴とする方法。
【請求項４７】
第２の接着剤が第１の接着剤の厚さより大きい厚さを有する請求項４６に記載の方法。
【請求項４８】
第１の接着剤が約３０ミクロンと約６５ミクロンとの間の厚さを有し、第２の接着剤が約１００ミクロンと約４００ミクロンとの間の厚さを有する請求項４６または４７に記載の方法。
【請求項４９】
第１の接着剤がアクリル系接着剤であり、第２の接着剤がシリコン系接着剤である請求項４６、４７または４８に記載の方法。
【請求項５０】
可とう性フィルムがポリウレタンフィルムを備える請求項４６、４７、４８または４９に記載の方法。
【請求項５１】
可とう性フィルムが、約３００ｇ／ｍ２／２４時間と約１４，４００ｇ／ｍ２／２４時間との間の水蒸気転送速度を有する請求項４６、４７、４８、４９または５０に記載の方法。
【請求項５２】
可とう性フィルムが、約１０００ｇ／ｍ２／２４時間の水蒸気転送速度を有する請求項５１に記載の方法。
【請求項５３】
第２の接着剤が、第１の接着剤の粘着性より小さい粘着性を有する請求項４６、４７、４８、４９、５０、５１、５２または５３に記載の方法。